(57)【特許請求の範囲】
【請求項１】
原稿画像を読み取り、画像データを蓄積する蓄積手段と、
プリンタへのデータの転送パスを獲得する獲得手段と、
前記蓄積手段により蓄積された画像データを前記データの転送パスを経由して前記プリンタに送信する手段と、
前記プリンタから受信した応答に基づき、画像転送先のプリンタを特定する情報を含むジョブ完了情報をあらかじめ指定された宛先に無線ネットワークを通じて送信する手段と、
を有することを特徴とする画像処理装置。
【請求項２】
原稿画像を読み取り、画像データを蓄積する蓄積手段と、
プリンタへのデータの転送パスを獲得する獲得手段と、
前記蓄積手段により蓄積された画像データを前記データの転送パスを経由して前記プリンタに送信する手段と、
前記プリンタから受信した応答に基づき、画像転送先のプリンタを特定する情報を含むエラー情報をあらかじめ指定された宛先に無線ネットワークを通じて送信する手段と、
を有することを特徴とする画像処理装置。
【請求項３】
原稿画像の読み取りが失敗した場合、読み取りが失敗した旨の通知を指定されている宛先に無線ネットワークを通じて送信する手段を有することを特徴とする請求項１または２記載の画像処理装置。
【請求項４】
前記ステータス情報は、画像転送先指定ミス時に発生する通信エラー情報を含むことを特徴とする請求項１または２記載の画像処理装置。
【請求項５】
前記ステータス情報は、プリンタの用紙無し、プリンタのトナー無しを含むことを特徴とする請求項１または２記載の画像処理装置。
【請求項６】
前記プリンタは、ＦＡＸを含むことを特徴とする請求項１または２記載の画像処理装置。
【請求項７】
原稿画像を読み取り、画像データを蓄積する蓄積ステップと、
プリンタへのデータの転送パスを獲得する獲得ステップと、
前記蓄積ステップにより蓄積された画像データを前記データの転送パスを経由して前記プリンタに送信するステップと、
前記プリンタから受信した応答に基づき、画像転送先のプリンタを特定する情報を含むジョブ完了情報をあらかじめ指定された宛先に無線ネットワークを通じて送信するステップと、
を有することを特徴とする画像処理装置の制御方法。
【請求項８】
原稿画像を読み取り、画像データを蓄積する蓄積ステップと、
プリンタへのデータの転送パスを獲得する獲得ステップと、
前記蓄積ステップにより蓄積された画像データを前記データの転送パスを経由して前記プリンタに送信するステップと、
前記プリンタから受信した応答に基づき、画像転送先のプリンタを特定する情報を含むエラー情報をあらかじめ指定された宛先に無線ネットワークを通じて送信するステップと、を有することを特徴とする画像処理装置の制御方法。
【請求項９】
原稿画像の読み取りが失敗した場合、読み取りが失敗した旨の通知を指定されている宛先に無線ネットワークを通じて送信するステップを有することを特徴とする請求項７または８記載の画像処理装置の制御方法。
【請求項１０】
前記ステータス情報は、画像転送先指定ミス時に発生する通信エラー情報を含むことを特徴とする請求項７または８記載の画像処理装置の制御方法。
【請求項１１】
前記ステータス情報は、プリンタの用紙無し、プリンタのトナー無しを含むことを特徴とする請求項７または８記載の画像処理装置の制御方法。
【請求項１２】
前記プリンタは、ＦＡＸを含むことを特徴とする請求項７または８記載の画像処理装置の制御方法。
【請求項１３】
原稿画像を読み取り、画像データを蓄積する蓄積ステップと、
プリンタへのデータの転送パスを獲得する獲得ステップと、
前記蓄積ステップにより蓄積された画像データを前記データの転送パスを経由して前記プリンタに送信するステップと、
前記プリンタから受信した応答に基づき、画像転送先のプリンタを特定する情報を含むジョブ完了情報をあらかじめ指定された宛先に無線ネットワークを通じて送信するステップと、
を実行させるプログラムを記憶したコンピュータ読み取り可能な記憶媒体。
【請求項１４】
原稿画像を読み取り、画像データを蓄積する蓄積ステップと、
プリンタへのデータの転送パスを獲得する獲得ステップと、
前記蓄積ステップにより蓄積された画像データを前記データの転送パスを経由して前記プリンタに送信するステップと、
前記プリンタから受信した応答に基づき、画像転送先のプリンタを特定する情報を含むエラー情報をあらかじめ指定された宛先に無線ネットワークを通じて送信するステップと、
を実行させるプログラムを記憶したコンピュータ読み取り可能な記憶媒体。
【請求項１５】
原稿画像の読み取りが失敗した場合、読み取りが失敗した旨の通知を指定されている宛先に無線ネットワークを通じて送信するステップを有することを特徴とする請求項１３または１４記載のコンピュータ読み取り可能な記憶媒体。
【請求項１６】
前記ステータス情報は、画像転送先指定ミス時に発生する通信エラー情報を含むことを特徴とする請求項１３または１４記載のコンピュータ読み取り可能な記憶媒体。
【請求項１７】
前記ステータス情報は、プリンタの用紙無し、プリンタのトナー無しを含むことを特徴とする請求項１３または１４記載のコンピュータ読み取り可能な記憶媒体。
【請求項１８】
前記プリンタは、ＦＡＸを含むことを特徴とする請求項１３または１４記載のコンピュータ読み取り可能な記憶媒体。
【発明の詳細な説明】
【０００１】
【発明の属する技術分野】
本発明は、ネットワークに接続されて所定の画像処理を行う画像処理装置および画像処理装置の制御方法および記憶媒体に関するものである。
【０００２】
【従来の技術】
従来、ネットワーク上のプリンタを用いる場合には、ネットワーク上のパーソナルコンピュータ（ＰＣ）、いわゆるクライアントからプリンタに対してプリントジョブを発行し、またプリンタからのエラーおよびジョブ実行中の通知はそのプリントジョブの発行元に対して行われていた。
【０００３】
また、本体を直接操作してコピージョブを行う場合には上記通知は本体の操作パネルのディスプレイに表示されていた。さらに、少量部数のコピージョブのようにその場で開始指示を与え、直ちに用紙無し、ジャムなどのエラーや終了をその場で知ることができるように構成されていた。
【０００４】
【発明が解決しようとする課題】
しかしながら、大量部数のコピージョブ等では、コピーを開始してから完了するまで相当の時間が必要とされ、利用者は操作開始後一旦その場を離れることも多い。このような場合、コピーが終了した頃にその装置のところに行き、用紙が無くなっていたり、ジャムが発生して作業途中で止まっていることを知る場合がある。
【０００５】
また、ネットワーク上のサーバに画像データを送信したり、同様にファクシミリ送信したりする場合にも同様に、読み取りエラーや送信先電話番号の間違い等のエラーが生じても、エラーが生じた装置から離れていることがある。
【０００６】
こういった場合には、当該エラーをその発生から相当の時間放置してしまうこともあり、エラー原因の解除や再試行といった対応を迅速に行うことができず、ユーザに対する利便性が悪いという問題点があった。
【０００７】
本発明は、上記の問題点を解決するためになされたもので、本発明の目的は、蓄積された画像データを獲得される前記データの転送パスを経由して前記プリンタに送信し、プリンタから受信した応答に基づき、画像転送先のプリンタを特定する情報を含むジョブ完了情報をあらかじめ指定された宛先に無線ネットワークを通じて送信することにより、画像処理装置を含むネットワーク環境下における該画像処理装置から離れているユーザに適時に通知して、迅速な対応を催促することができる利便性の高い画像処理環境を自在に構築することができる画像処理装置および画像処理装置の制御方法および記憶媒体を提供することである。
【０００８】
【課題を解決するための手段】
本発明に係る第１の発明は、原稿画像を読み取り、画像データを蓄積する蓄積手段と、プリンタへのデータの転送パスを獲得する獲得手段と、前記蓄積手段により蓄積された画像データを前記データの転送パスを経由して前記プリンタに送信する手段と、前記プリンタから受信した応答に基づき、画像転送先のプリンタを特定する情報を含むジョブ完了情報をあらかじめ指定された宛先に無線ネットワークを通じて送信する手段とを有することを特徴とする。
【０００９】
本発明に係る第２の発明は、原稿画像を読み取り、画像データを蓄積する蓄積手段と、プリンタへのデータの転送パスを獲得する獲得手段と、前記蓄積手段により蓄積された画像データを前記データの転送パスを経由して前記プリンタに送信する手段と、前記プリンタから受信した応答に基づき、画像転送先のプリンタを特定する情報を含むエラー情報をあらかじめ指定された宛先に無線ネットワークを通じて送信する手段とを有することを特徴とする。
【００１０】
本発明に係る第３の発明は、原稿画像の読み取りが失敗した場合、読み取りが失敗した旨の通知を指定されている宛先に無線ネットワークを通じて送信する手段を有することを特徴とする。
【００１１】
本発明に係る第４の発明は、前記ステータス情報は、画像転送先指定ミス時に発生する通信エラー情報を含むことを特徴とする。
【００１２】
本発明に係る第５の発明は、前記ステータス情報は、プリンタの用紙無し、プリンタのトナー無しを含むことを特徴とする。
【００１３】
本発明に係る第６の発明は、前記プリンタは、ＦＡＸを含むことを特徴とする。
【００１４】
本発明に係る第７の発明は、原稿画像を読み取り、画像データを蓄積する蓄積ステップと、プリンタへのデータの転送パスを獲得する獲得ステップと、前記蓄積ステップにより蓄積された画像データを前記データの転送パスを経由して前記プリンタに送信するステップと、前記プリンタから受信した応答に基づき、画像転送先のプリンタを特定する情報を含むジョブ完了情報をあらかじめ指定された宛先に無線ネットワークを通じて送信するステップとを有することを特徴とする。
【００１５】
本発明に係る第８の発明は、原稿画像を読み取り、画像データを蓄積する蓄積ステップと、プリンタへのデータの転送パスを獲得する獲得ステップと、前記蓄積ステップにより蓄積された画像データを前記データの転送パスを経由して前記プリンタに送信するステップと、前記プリンタから受信した応答に基づき、画像転送先のプリンタを特定する情報を含むエラー情報をあらかじめ指定された宛先に無線ネットワークを通じて送信するステップとを有することを特徴とする。
【００１６】
本発明に係る第９の発明は、原稿画像の読み取りが失敗した場合、読み取りが失敗した旨の通知を指定されている宛先に無線ネットワークを通じて送信するステップを有することを特徴とする。
【００１７】
本発明に係る第１０の発明は、前記ステータス情報は、画像転送先指定ミス時に発生する通信エラー情報を含むことを特徴とする。
【００１８】
本発明に係る第１１の発明は、前記ステータス情報は、プリンタの用紙無し、プリンタのトナー無しを含むことを特徴とする。
【００１９】
本発明に係る第１２の発明は、前記プリンタは、ＦＡＸを含むことを特徴とする。
【００２０】
本発明に係る第１３の発明は、原稿画像を読み取り、画像データを蓄積する蓄積ステップと、プリンタへのデータの転送パスを獲得する獲得ステップと、前記蓄積ステップにより蓄積された画像データを前記データの転送パスを経由して前記プリンタに送信するステップと、前記プリンタから受信した応答に基づき、画像転送先のプリンタを特定する情報を含むジョブ完了情報をあらかじめ指定された宛先に無線ネットワークを通じて送信するステップとを実行させるプログラムをコンピュータ読み取り可能な記憶媒体に記憶したことを特徴とする。
【００２１】
本発明に係る第１４の発明は、原稿画像を読み取り、画像データを蓄積する蓄積ステップと、プリンタへのデータの転送パスを獲得する獲得ステップと、前記蓄積ステップにより蓄積された画像データを前記データの転送パスを経由して前記プリンタに送信するステップと、前記プリンタから受信した応答に基づき、画像転送先のプリンタを特定する情報を含むエラー情報をあらかじめ指定された宛先に無線ネットワークを通じて送信するステップとを実行させるプログラムをコンピュータ読み取り可能な記憶媒体に記憶したことを特徴とする。
【００２２】
本発明に係る第１５の発明は、原稿画像の読み取りが失敗した場合、読み取りが失敗した旨の通知を指定されている宛先に無線ネットワークを通じて送信するステップを実行させるプログラムをコンピュータ読み取り可能な記憶媒体に記憶したことを特徴とする。
【００２３】
本発明に係る第１６の発明は、前記ステータス情報は、画像転送先指定ミス時に発生する通信エラー情報を含むプログラムをコンピュータ読み取り可能な記憶媒体に記憶したことを特徴とする。
【００２４】
本発明に係る第１７の発明は、前記ステータス情報は、プリンタの用紙無し、プリンタのトナー無しを含むプログラムをコンピュータ読み取り可能な記憶媒体に記憶したことを特徴とする。
【００２５】
本発明に係る第１７の発明は、前記プリンタは、ＦＡＸを含むログラムをコンピュータ読み取り可能な記憶媒体に記憶したことを特徴とする。
【００２６】
【発明の実施の形態】
〔第１実施形態〕
図１は、本発明に係る画像処理装置を適用可能な画像入出力システムの構成を説明する図である。
【００２７】
図１において、ネットワーク１０１は機器を接続する既知の技術を用いたネットワークであり、本実施形態ではＴＣＰ／ＩＰプロトコルを使用した、イーサネットの使用を想定している。
【００２８】
ネットワークスキャナ（スキャナ）１０２は、用紙などに印刷された原稿などを光学的に読み込みを行う画像スキャナで、ネットワークインタフェースを具備し、ネットワーク１０１を介して各機器に接続されている。読み取り画像データはＲＧＢ３色のカラースキャナである。
【００２９】
ネットワークプリンタ２０９５，２９０２，２９０３は、ネットワークインタフェースを具備し、ネットワークインタフェースを介して送られる印刷データや画像データを受信し、電子写真技術などの既知の印刷技術を用いて用紙などのメディアに実際に印刷を行うネットワークプリンタである。
【００３０】
ネットワークプリンタ（プリンタ）２０９５，２９０２，２９０３もまたネットワーク１０１を介して各機器に接続されている。ここでは、プリンタ２０９５は白黒デジタル複合機、プリンタ２９０２はカラーレーザプリンタ、プリンタ２９０３は白黒レーザビームプリンタを示している。
【００３１】
ファクシミリ装置（ＦＡＸ）２９０４は、ネットワークインタフェースを具備し、公衆回線２９０５を介して画像データの送受信を行う。ファクシミリ装置２９０４は、ネットワーク１０１上のスキャナ１０２で読み取った画像データを送信したり、受信した画像データをプリンタ２０９５，２９０２，２９０３から出力したり、ネットワークの管理サーバであるＰＣ１０３でファイル化する画像データを公衆回線２９０５上に入出力するインタフェースでもある。また、ネットワーク１０１には、管理サーバ以外のクライアントＰＣ１０４も接続されている。
【００３２】
なお、本実施形態ではネットワークスキャナ１０２から送信された画像データはネットワークプリンタ２０９５，２９０２，２９０３によって直ちに印刷可能である。
【００３３】
更に、上記各機器及び携帯電話機１０５、携帯型情報機器１０６間はピア・ツー・ピアの相互通信が可能な無線ネットワーク１０７で接続されている。この無線ネットワークには例えばＢｌｕｅｔｏｏｔｈ  Ｓｐｅｃｉａｌ  Ｉｎｔｅｒｅｓｔ  Ｇｒｏｕｐ（ＳＩＧ）が提唱している小型で省電力の方式を用いることができる。
【００３４】
図２は、本発明の第１実施形態を示す画像処理装置の構成を説明するブロック図であり、図１に示したネットワークスキャナ１０２の構成に対応する。
【００３５】
図２において、２０１は既知の光学読み取り技術を利用したスキャナエンジン、２０２はスキャナ全体の動作を制御するＣＰＵ、２０３は前記スキャナエンジン２０１が読み込んだ画像データを一時的に格納したり、作業用の記憶情報を蓄えておくＲＡＭ、２１１は前記ＣＰＵ２０２の動作を制御するプログラムが書かれたＲＯＭである。さらに、２０５はネットワーク１０１に接続するためのネットワークインタフェース、２１２は、無線ネットワーク１０７に接続するための無線ネットワークインタフェースである。
【００３６】
２０６，２０７，２０９，２１０は、ＲＯＭ２１１に格納されたプログラムをＣＰＵ２０１により実行することで実現されるソフトウエアモジュールである。デバイスプロファイル供給部２０６はネットワークスキャナ１０２の機器情報を管理サーバ１０３に伝える。
【００３７】
転送バスプロファイル獲得部２０７は、管理サーバ１０３から転送バスプロファイルを獲得し、ＲＡＭ２０３に情報を格納する。ジョブステータス通知部２０９は、本スキャナで画像の読み取り中や読み取った画像データを送信しているときに発生したエラー情報やジョブの終了情報を、無線ネットワーク１０７等の無線ＬＡＮを通じて所定の機器に通知する。
【００３８】
リモート操作管理部２１０は、ネットワーク１０１上につながるＰＣクライアント１０３から直接このスキャナに各種設定を可能にするためのもので、操作パネル２０８と全く同じ操作性をＰＣ１０３で行うことを可能にしている。
【００３９】
方式はｗｗｗ（ワールドワイドウエブ）のホームページをリモート操作管理部２１０内に持つことにより実現している。すなわち、設定可能なパラメータ等をＨＴＭＬ（Ｈｙｐｅｒ  Ｎｅｘｔ  Ｍａｒｋ  ｕｐ  Ｌａｎｇｕａｇｅ）によって記述してそれをメモリ内に格納しておく。スキャナに対して何らかの設定を行う場合、利用者は、ＨＴＭＬで記述されたデータを読みだして、それを解釈して表示するいわゆるウェブブラウザにより表示させて必要な入力を行わせ、入力されたデータをスキャナに返送する。それによって利用者は所望の設定を行うことができる。デジタル複合機２０９５にも、同様の構成のネットワークスキャナが装備されている。なお、デバイスプロファイル及び転送バスプロファイルについては後述する。
【００４０】
２０８はユーザインタフェースを提供するために、液晶、ＬＥＤなどのディスプレイ装置と複数個の操作ボタンから構成される操作パネルである。
【００４１】
図３は、本発明の第１実施形態を示す画像処理装置の構成を説明するブロック図であり、図１に示したネットワークプリンタ２９０３の構成に対応する。
【００４２】
図３において、３０１は電子写真やインクジェット等の既知の印刷技術を利用したプリンタエンジン、３０２は全体の動作を制御するＣＰＵ、３０３は前記プリンタエンジン３０１に印刷する画像データを一時的に格納したり、作業用の記憶情報を蓄えておくＲＡＭ、３１１は前記ＣＰＵ３０２の動作を制御するプログラムが書かれたＲＯＭである。さらに、３０５はネットワーク１０１に接続するためのネットワークインタフェースである。
【００４３】
３０６，３０７，３０９，３１０は、ＲＯＭ３１１に格納されたプログラムをＣＰＵ３０１により実行することで実現されるソフトウエアモジュールである。デバイスプロファイル供給部３０６はネットワークプリンタ２９０３の機器情報を管理サーバ１０３に伝える。転送バスプロファイル獲得部３０７は、管理サーバ１０３から転送バスプロファイルを獲得し、ＲＡＭ３０３に情報を格納する。ジョブステータス通知部３０９は、本プリンタで印刷しているときに発生したエラー情報やジョブの終了情報を、無線ＬＡＮを通じて所定の機器に通知する。
【００４４】
リモート操作管理部３１０は、ネットワーク上につながれるＰＣ１０３から本プリンタに設定を可能にするもので、操作パネル３０８と全く同じ操作性をＰＣ１０３で行うことを可能にしている。方式はｗｗｗのホームページをリモート操作管理部３１０内に持つことにより実現している。
【００４５】
また、同一ネットワーク上に繋がるネットワークプリンタ２０９５，２９０２も、基本構成はネットワークプリンタ２９０３と同じである。
【００４６】
３０８はユーザインタフェースを提供するために、液晶、ＬＥＤなどのディスプレイ装置と複数個の操作ボタンから構成される操作パネルである。
【００４７】
図４は、本発明の第１実施形態を示す画像処理装置の構成を説明するブロック図であり、図１に示した管理サーバ１０３の構成に対応する。
【００４８】
図４において、４０１は全体の動作を制御するＣＰＵ、４０２は作業用の記憶情報やＣＰＵ４０１の動作を制御するプログラムを蓄えておくＲＡＭ、４０４はネットワーク１０１に接続された機器のデバイスプロファイルを格納しておくデバイスプロファイルデータベース、４０５はデバイスプロファイル（後述する）から生成された転送バスプロファイルを格納しておく転送バスプロファイルデータベース、４０６は前記ネットワーク１０１に接続するためのネットワークＩ／Ｆ、４０７は前記ネットワークに接続された機器からデバイスプロファイルを獲得し、デバイスプロファイルデータベース４０４に格納するデバイスプロファイル獲得部、４０８は機器の要求にしたがい、転送バスプロファイルデータベース４０５から転送バスプロファイルを読み込み、ネットワーク１０１を介して機器に供給する転送バスプロファイル供給部、４０９はデバイスプロファイルデータベース４０２に書かれた機器情報から転送バスプロファイルを生成して転送バスプロファイルデータベース４０５に書き込む転送バスプロファイル生成部である。
【００４９】
以下、デバイスプロファイルについて説明する。
【００５０】
デバイスプロファイルは仮想ＭＦＰ（多機能周辺機器）を構成するために必要な、各機器に関する性能や特徴を示すデータであり、下記のようなテキストデータから構成される。これはネットワークスキャナ１０２におけるデバイスプロファイルの一例である。
【００５１】
Ｄｅｖｉｓｅ−Ｔｙｐｅは機器の種類を示す。スキャナの場合、入力機器であり、スキャナであることを示す。Ｄｅｖｉｃｅ−Ｉｄは機器のモデル名を示している。Ｄｅｖｉｃｅ−ａｄｄｒｅｓｓは、機器のネットワークアドレスを示す。Ｒｅｓｏｌｕｔｉｏｎは機器がサポートしている解像度を示す。Ｍｅｄｉａ−ｓｉｚａは機器がサポートしている用紙サイズを示す。Ｉｎｐｕｔ−ｆｅｅは機器を利用した場合の課金情報を示す。
【００５２】
Ｄｏｃｕｍｅｎｔ−ｆｏｒｍａｔは機器がサポートする画像フォーマットを示す。Ｉｎｐｕｔ−ｃｏｍｍａｎｄ：は他の機器からスキャナに読み込みを実行させるコマンドを記述する。
【００５３】
プリンタについても同様のプロファイルが保持される。ただし、プリンタでは、Ｄｅｖｉｃｅ−Ｔｙｐｅが出力機器となり、Ｉｎｐｕｔ−ｃｏｍｍａｎｄが、他の機器から印刷を実行させるためのコマンドとなる。
【００５４】
このデバイスプロファイルは、各機器において生成され、管理サーバ１０３に送られてデバイスプロファイルデータベース４０４として集積される。
【００５５】
図５は、本発明に係る画像処理装置における第１のデータ処理手順の一例を示すフローチャートであり、デバイスプロファイルを、各周辺機器において作成する際の手順に対応する。なお、Ｓ５０１〜Ｓ５０７は各ステップを示す。
【００５６】
まず、現在の機器の構成からデバイスプロファイルを作成する（Ｓ５０１）。次に、管理サーバ１０３に対して自装置のデバイスプロファイルの取得要求を送信する（Ｓ５０２）。
【００５７】
そして、応答があるか否かを判定して（Ｓ５０３）、応答があると判定した場合（ステップＳ５０３−ＹＥＳ）は、すなわちデバイスプロファイルデータベースに格納されている自装置のデバイスプロファイルが送られてきたら、それとステップＳ５０１で作成したプロファイルとを比較して（Ｓ５０５）、その結果双方が一致するか、すなわち装置構成に変更があるか否かを判定し（ステップＳ５０６）、変更があると判定した場合は、ステップＳ５０１で作成されたデバイスプロファイルを管理サーバ１０３に送信して、データベース４０４を更新させて（Ｓ５０７）、処理を終了する。
【００５８】
一方、ステップＳ５０３で応答がないと判定した場合は、ステップＳ５０１で作成したデバイスプロファイルをネットワークにブロードキャストして（Ｓ５０４）、処理を終了する。
【００５９】
図６は、本発明に係る画像処理装置における第２のデータ処理手順の一例を示すフローチャートであり、図１に示した管理サーバ１０３がデバイスプロファイルデータベースを構築する際の手順に対応する。なお、Ｓ７０１〜Ｓ７０５は各ステップを示す。
【００６０】
まず、デバイスプロファイル転送要求をネットワーク上の注目機器に対して発行し（Ｓ７０１）、デバイスプロファイルが記録されたデバイスプロファイル転送命令を待って（Ｓ７０２）、デバイスプロファイル転送命令を受信すると、それをデバイスプロファイルデータベース４０４に記録する（Ｓ７０３）。
【００６１】
最後にネットワーク上の機器全部、あるいはあらかじめ登録されている機器全部についてプロファイルを作成したか否かを判定し（Ｓ７０４）、作成し終えていないと判定した場合は、注目機器を次の登録機機に移して（Ｓ７０５）、前述した処理を繰り返し、作成し終えていると判定した場合は、処理を終了する。以上のようにしてデバイスプロファイルは作成される。
【００６２】
なお、転送バスプロファイルは管理サーバ１０３により生成されるデータである。管理サーバ１０３は、ある機器の転送パスプロファイルを作成する場合、その機器のデバイスプロファイルからネットワークアドレス等を読み込み、例えばその機器がスキャナであれば、読み込んだ画像データを転送する際の径路を作成する。例えば出力先がプリンタであれば、目的となるプリンタにデータを送信するための径路を記述する。
【００６３】
これを、個々の出力機器について行い、スキャナで読んだ画像データを出力するための転送パスプロファイルを作成する。こうして作成された転送パスプロファイルは転送パスプロファイルデータベース４０５に格納され、各周辺機器に送信される。
【００６４】
図７は、図１に示したネットワークスキャナ１０２における操作パネル２０８の外観を示す図である。
【００６５】
図７において、ＬＣＤ表示部３００１は、ＬＣＤ上にタッチパネルシートが貼られており、システムの操作画面を表示するとともに、表示してあるキーが押されるとその位置情報をコントローラＣＰＵに伝える。スタートキー３００２は原稿画像の読み取り動作を開始する時などに用いる。スタートキー中央部には、緑と赤の２色ＬＥＤがあり、その色によってスタートキーが使える状態にあるかどうかを示す。ストップキー３００３は稼働中の動作を止める働きをする。ＩＤキー３００４は使用者のユーザーＩＤを入力するときに用いる。リセットキー３００５は操作部からの設定を初期化するときに用いる。以下で操作部の各画面について詳細に説明する。
【００６６】
図８，図９は、図７に示したＬＣＤ表示部３００１に表示されるメイン画面中の操作設定画面例を示す図であり、図８は、例えばレターサイズのコピーを１部行う際の操作部の表示画面を示している。ここでは、現在ネットワーク上の機器の組み合わせで実現可能な機能を全て表示している。
【００６７】
図８において、メイン画面３１００は文字モード、写真モードを選択するＩｍａｇｅ  Ｑｕａｌｉｔｙ選択ボタン３１０５、および選択されたＩｍａｇｅ  Ｑｕａｌｉｔｙ表示領域３１０４、装置のステータス、コピーの倍率、用紙サイズ、プリント部数を表示するコピーパラメータ表示部３１０１、拡大縮小設定ボタン３１０６，３１０７、紙選択ボタン３１０８、ソータ設定ボタン３１１０、両面コピー設定ボタン３１１２、濃度インジケータおよび濃度設定ボタン３１０９、テンキー３１１４から構成される。３１２０はコピーボタン、３２０２は次ジョブボタンである。
【００６８】
図９は、Ａ４サイズの原稿を５０部リモートコピー（ネットワークスキャナとネットワークプリンタとを用いたコピー処理）する際の、スキャナ１０２の操作パネル２０８の表示内容を示している。
【００６９】
図９において、出力先選択キー３２００によりプリンタ２０９５を選択し、ネットワークを通じたリモートコピー（モード選択キー３１２０）を設定している。コピー部数は５０部、状態通知先は、通知先選択キー３２０１により、予め登録されている通知先の中から”１０５”に設定してある。これら設定項目は、リモート操作管理部２１０を介して、管理サーバ１０３あるいはクライアントＰＣ１０４から設定することもできる。
【００７０】
更には前記携帯電話機１０５や携帯型情報機器１０６から無線ネットワークを通じて通知先を指定することもできる。これは、例えば通知先選択キー３２０１により”外部受信モード”にしておき、携帯電話機１０５や携帯型情報機器１０６から自機のＩＤを送信するようにすることにより実現可能である。
【００７１】
＜リモートコピー動作＞
次に、スキャナ２０７０で読み込んだ画像をプリンタ２０９５で印刷して５０部のコピーを行う際の動作について図１０，図１１に示すメッセージ例を参照して説明する。
【００７２】
図１０，図１１は、図１に示した携帯電話機１０５や携帯型情報機器１０６に配信されるコピージョブ処理時におけるメッセージ例を示す図である。
【００７３】
スキャナに原稿をセットしてスタートキー３００２を押せば原稿読み取りが始まる。原稿画像の読み取りはＲＡＭ２０３に記憶されるので一回だけ行われ、１セット読み終わった後にプリンタ２０９５に向けてネットワーク上に送信される。ユーザは原稿が読み取られたらその原稿を持ち帰り、自席でコピージョブが終了するのを待つ。プリント終了情報をプリンタ２０９５から受け取ったスキャナ１０２は、ジョブ終了通知を出すために、ジョブステータス通知部２０９から無線ネットワーク経由で”１０５”に対して図１０に示す内容のメッセージを配信する。図１０のメッセージ内容は、送り主”ＳｃａｎｎｅｒＸＸＸ”、画像転送先”ＰｒｉｎｔｅｒＸＸＸ”、原稿画像枚数１８ページ、部数５０部、コピーサイズＡ４となっている。
【００７４】
図１０は、コピージョブが完了した場合のメッセージであり、主題として”ｊｏｂ０２２３０４  ｃｏｍｐｌｅｔｅ”、すなわち、コピージョブ０２２３０４が完了したことが示されている。
【００７５】
一方、もしこのコピージョブ実行中にエラーが発生した場合には、図１１に示すようなメッセージが”ｍｏｂｉｌｅ１０５”に対して通達されてくる。内容は、送り主”ＳｃａｎｎｅｒＸＸＸ”、ジョブＮｏ．”ｊｏｂ０２２３０４”の実行中にプリンタジャムが発生したこと、エラー発生時刻、使用したユーザー名”ｍｏｂｉｌｅ１０５”、画像転送先”ＰｒｉｎｔｅｒＸＸＸ”、原稿画像枚数１８ページ、部数５０部、コピーサイズＡ４となっている。
【００７６】
同様に、スキャナ側の原稿ジャム、プリンタ用紙無し、プリンタトナー無し、画像転送先指定ミスの時などに発生する通信エラー情報などの通達が行われる。
【００７７】
図１２は、本発明に係る画像処理装置における第３のデータ処理手順の一例を示すフローチャートであり、リモートコピーの際の、スキャナによる処理手順に対応する。なお、Ｓ１４０１〜Ｓ１４０７は各ステップを示す。
【００７８】
まず、スキャナにより原稿画像を読み取り、画像データを蓄積する（Ｓ１４０１）。次に、読み取りが成功したか否かを判定し（Ｓ１４０２）、成功していないと判定した場合は、ステップＳ１４０７で分岐して、読み取りが失敗した旨のメールを指定されている宛先へと送信して、処理を終了する。
【００７９】
一方、ステップＳ１４０２で、読み取りが成功したと判定した場合は、プリンタへのデータの転送パスを獲得する（Ｓ１４０３）。これは、あらかじめ獲得しておき、それを用いるようにしても良い。そして、その転送パスを経由して、プリンタへと画像データを送信し（Ｓ１４０４）、プリンタからの応答を待って（Ｓ１４０５）、応答がなかったと判定した場合は（Ｓ１４０６）、ステップＳ１４０４へ戻り、応答があったと判定した場合は、受信したステータス情報を無線ネットワークを通じて、あらかじめ設定された宛先に送信して（Ｓ１４０７）、処理を終了する。
【００８０】
以上のように、処理の進捗状態を無線通信によりあらかじめ定められた宛先へと送信することで、利用者はスキャナやプリンタ等の入出力機器から離れて作業をしていても、処理の状態を知ることができる。
【００８１】
〔第２実施形態〕
第２実施形態では、ある原稿セットに対して複数のジョブを同時に設定した場合について説明する。
【００８２】
複数のジョブを設定する一例として、まず、前の実施形態と同様に、図９に示す操作設定画面上で、リモートコピーを設定する。ここでは、出力先選択キー３２００によりプリンタ２０９５を選択し、ネットワークを通じたリモートコピー（モード選択キー３１２０）を設定する。コピー部数は５０部、状態通知先は通知先選択キー３２００により、予め登録されている通知先の中から”ｍｏｂｉｌｅ１０５”  に設定してある。
【００８３】
次に、ユニバーサル処理設定キー３２０２を押すことにより、第２番目のジョブを設定する画面が現れる。
【００８４】
図１３は、図７に示したＬＣＤ表示部３００１に表示されるメイン画面中の操作設定画面例を示す図であり、第２番目のジョブの選択画面のモード選択キー３２００でファクシミリ（ＦＡＸ）を選択した場合の表示内容を示す。
【００８５】
図１４は、図１に示した携帯電話機１０５や携帯型情報機器１０６に配信されるＦＡＸジョブ処理時におけるメッセージ例を示す図である。
【００８６】
図１３において、スキャナ１０２で読み取った画像データを、デバイスプロファイル情報からＣＰＵ２０２が自動的に選択したネットワーク１０１上のＦＡＸ２９０４を通じてリモートＦＡＸ送信する設定をしている。ＦＡＸ送信の送り先電話番号はテンキー３１１４で設定すると、送り先表示部３２００に例えば”０３−ＸＸＸＸ−ＸＸＸＸ”と現れる。また、ステータス通知先は先に通知先選択キー３２０１で選択した宛先”ｍｏｂｉｌｅ１０５”が表示されている。
【００８７】
原稿をセットしてスタートキー３００２を押せば原稿読み取りが始まる。原稿画像の読み取りはＲＡＭ２０３に記憶されるので一回だけ行われ、１セット読み終わった後にプリンタ２０９５に向けてネットワーク上１０１に送信される。同様に、ＦＡＸ送信を行うためにＦＡＸ２９０４に対して読み取った原稿画像データがネットワーク１０１を通じて転送される。
【００８８】
リモートコピーが終了した場合は、プリント終了情報をプリンタ２０９５から受け取り、スキャナ１０２はジョブステータス通知部２０９から無線ネットワーク経由で”ｍｏｂｉｌｅ１０５”に対して図１０に示す内容のコピージョブ終了内容を通達する。
【００８９】
図１０のメッセージに記載されている内容は、送り主”ＳｃａｎｎｅｒＸＸＸ”、ジョブＮｏ．”ｊｏｂ０２２３０４”が正常に終了したこと、終了時刻、使用したユーザー名”ｍｏｂｉｌｅ１０５”、画像転送先”ＰｒｉｎｔｅｒＸＸＸ”、原稿画像枚数１８ページ、部数５０部、コピーサイズＡ４となっている。
【００９０】
同様にＦＡＸ送信が終了した時点で、ＦＡＸ２９０４がスキャナ１０２に対して終了情報を送り、ジョブステータス通知部２０９から無線ネットワーク経由で”ｍｏｂｉｌｅ１０５”に対して図１４に示すＦＡＸ送信ジョブ終了内容を通達する。内容は、送り主”ＳｃａｎｅｒＸＸＸ”、ジョブＮｏ．”ｊｏｂ０２２３０５”が正常に終了したこと、終了時刻、使用したユーザ名、”ｍｏｂｉｌｅ１０５”、画像転送先”０３−ＸＸＸＸ−ＸＸＸＸ”、公衆回線通信デバイスとして”ＦＡＸ  ＸＸＸ”を使用したこと、原稿画像枚数１８ページ、モードはＧ３のスーパーファインとなっている。
【００９１】
もちろん、エラーがあった場合には、どのようなエラーが生じたかが記載されたメッセージが送信される。
【００９２】
このように、複数のジョブを処理するような設定がおこなわれた場合でも、各処理について、状態を無線ネットワーク経由で送信することができる。また、各ジョブ毎にメッセージの宛先を設定することもできる。その場合には、本例ならば、コピージョブとファクシミリジョブのステータスとは、それぞれ設定された宛先に送信される。
【００９３】
以下、図１５に示すメモリマップを参照して本発明に係る画像処理装置を適用可能な画像処理システムで読み出し可能なデータ処理プログラムの構成について説明する。
【００９４】
図１５は、本発明に係る画像処理装置を適用可能な画像処理システムで読み出し可能な各種データ処理プログラムを格納する記憶媒体のメモリマップを説明する図である。
【００９５】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００９６】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００９７】
本実施形態における図５，図６，図１２に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００９８】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００９９】
この場合、記憶媒体から読み出されたプログラムコード自体が本発明の新規な機能を実現することになり、そのプログラムコードを記憶した記憶媒体は本発明を構成することになる。
【０１００】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１０１】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０３】
なお、上記実施形態では、画像処理を行う入出力デバイスの処理が正常終了あるいは異常が検出されたタイミングで、設定された通知先となる携帯端末にメッセージ通知する場合について説明したが、入出力ジョブ処理中の特定のタイミングでまもなくジョブが正常終了することを前もってメッセージ通知するように通知するタイミングを指定できるように構成してもよい。その際のタイミングとしては、設定されたジョブの部数が複数であれば、最後の部数目の１つ前、設定されたジョブの部数が単数で、かつ、頁数が複数の場合には、スループットから割り出される所定頁数前が有効である。
【０１０４】
【発明の効果】
以上説明したように、本発明によれば、画像処理装置を含むネットワーク環境下における該画像処理装置から離れているユーザに適時に通知して、迅速な対応を催促することができる利便性の高い画像処理環境を自在に構築することができるという効果を奏する。
【図面の簡単な説明】
【図１】本発明に係る画像処理装置を適用可能な画像入出力システムの構成を説明する図である。
【図２】本発明の第１実施形態を示す画像処理装置の構成を説明するブロック図である。
【図３】本発明の第１実施形態を示す画像処理装置の構成を説明するブロック図である。
【図４】本発明の第１実施形態を示す画像処理装置の構成を説明するブロック図である。
【図５】本発明に係る画像処理装置における第１のデータ処理手順の一例を示すフローチャートである。
【図６】本発明に係る画像処理装置における第２のデータ処理手順の一例を示すフローチャートである。
【図７】図１に示したネットワークスキャナにおける操作パネルの外観を示す図である。
【図８】図７に示したＬＣＤ表示部に表示されるメイン画面中の操作設定画面例を示す図である。
【図９】図７に示したＬＣＤ表示部に表示されるメイン画面中の操作設定画面例を示す図である。
【図１０】図１に示した携帯電話機や携帯型情報機器に配信されるコピージョブ処理時におけるメッセージ例を示す図である。
【図１１】図１に示した携帯電話機や携帯型情報機器に配信されるコピージョブ処理時におけるメッセージ例を示す図である。
【図１２】本発明に係る画像処理装置における第３のデータ処理手順の一例を示すフローチャートである。
【図１３】図７に示したＬＣＤ表示部に表示されるメイン画面中の操作設定画面例を示す図である。
【図１４】図１に示した携帯電話機や携帯型情報機器に配信されるＦＡＸジョブ処理時におけるメッセージ例を示す図である。
【図１５】本発明に係る画像処理装置を適用可能な画像処理システムで読み出し可能な各種データ処理プログラムを格納する記憶媒体のメモリマップを説明する図である。
【符号の説明】
２０１  スキャナエンジン
２０２  ＣＰＵ
２０３  ＲＡＭ
２０５  ネットワークインタフェース
２１２  無線ネットワークインタフェース
２０８  操作パネル
２１１  ＲＯＭ
【図１】
0003619172.tif 000002
【図２】
0003619172.tif 000003
【図３】
0003619172.tif 000004
【図４】
0003619172.tif 000005
【図５】
0003619172.tif 000006
【図６】
0003619172.tif 000007
【図７】
0003619172.tif 000008
【図８】
0003619172.tif 000009
【図９】
0003619172.tif 000010
【図１０】
0003619172.tif 000011
【図１１】
0003619172.tif 000012
【図１２】
0003619172.tif 000013
【図１３】
0003619172.tif 000014
【図１４】
0003619172.tif 000015
【図１５】
0003619172.tif 000016